(57)【要約】【課題】取外した既設外線をリニューアルした外部信号入出力装置に接続し、既設の外線と入出力装置内部との関係を生成する。【解決手段】取外した既設外線１をリニューアル化入出力信号制御用コンピュータ３を搭載した外部信号入出力装置に接続する。制御用コンピュータ３に外部アドレス設定端末１０を接続し、Ｉ／Ｏポートアドレスと所定の階床順序に従う階床の外部機器アドレスを順次入力し、コンピュータ３を介してアドレスデータメモリ６に記憶する。制御用コンピュータ３は、各既設の外線数に応じたポートをもったＩ／Ｏポート５を有し、所定の階床順序に従って階床の外部機器から外部機器入力信号を受けると、アドレスデータメモリから所定の階床順序のもとに認識される階床のポートＮＯとＩ／Ｏポートを通ってくる外部機器入力信号のポートＮＯとから各階床の外部機器とポートＮＯとの関係を書換えていく。【選択図】図１
2006089212.tif 000002
【特許請求の範囲】
【請求項１】
各外部機器から導出される既設の外部入出力信号線が接続されたエレベータ制御盤の少なくとも外部信号入出力装置を、入出力信号制御用コンピュータを搭載した外部信号入出力装置にリニューアルするエレベータ制御装置において、
前記各既設の外部入出力信号線を任意に接続したリニューアルされた入出力信号制御用コンピュータを搭載した外部信号入出力装置と、
任意の第1のＩ／Ｏポートアドレスデータとともに所定の階床順序に従う各階床の前記外部機器の外部機器アドレスデータを順次前記入出力信号制御用コンピュータに入力する外部アドレス設定端末とを有し、
前記入出力信号制御用コンピュータは、前記外部アドレス設定端末から入力された第1のＩ／Ｏポートアドレスデータ及び前記所定の階床順序に従う各階床の外部機器アドレスデータを記憶するアドレスデータ記憶手段と、少なくとも前記各既設の外部入出力信号線数に応じたポートを有し、前記所定の階床順序に従って階床の外部機器から前記既設の外部入出力信号線及びある前記Ｉ／Ｏポートを通ってくる外部機器入力信号を受け渡しするＩ／Ｏポートと、前記アドレスデータ記憶手段に記憶される所定の階床順序のもとに認識される該当階床の外部機器のアドレスデータに対応するＩ／Ｏポートアドレスデータと前記外部機器入力信号を取り込んだＩ／ＯポートのＩ／Ｏポートアドレスデータとに基づき、前記アドレスデータ記憶手段に記憶される該当階床の外部機器のアドレスデータに対し、前記第1のＩ／Ｏポートアドレスデータを前記取り込んだ第２のＩ／Ｏポートアドレスデータに書換えて対応付け処理する信号認識処理制御部と
を備えたことを特徴とするエレベータ制御装置。
【請求項２】
請求項１に記載のエレベータ制御装置において、
前記入出力信号制御用コンピュータの内部に、前記外部アドレス設定端末に代えて当該外部アドレス設定端末と同等の機能を有するデータ入力機能を持ったアドレス設定手段を設けたことを特徴とするエレベータ制御装置。
【請求項３】
請求項１または請求項２に記載のエレベータ制御装置において、
前記信号認識処理制御部は、前記Ｉ／Ｏポートのあるポートから取り込む前記第２のＩ／Ｏポートアドレスデータを含む前記外部機器入力信号に基づき、前記アドレスデータ記憶手段に記憶される所定の階床順序のもとに認識される該当階床の外部機器のアドレスデータに対応する前記第１のＩ／Ｏポートアドレスデータと前記外部機器入力信号を取り込んだ前記Ｉ／ＯポートのＩ／Ｏポートアドレスデータとが一致するか否かを判断するアドレス比較判断手段と、このアドレス比較判断手段によって両アドレスが一致したと判断した場合にはアドレス変更無しとし、前記アドレス比較判断手段で一致しないと判断した場合には前記アドレスデータ記憶手段に格納される階床の外部機器アドレスデータを優先し、この階床の外部機器のアドレスデータに前記取り込んだ第２のＩ／Ｏポートアドレスデータに書換えて対応付けするアドレス変更手段と、前記所定の階床順序に従って次階床以降の外部機器の外部機器入力信号についても同様の処理を繰り返す処理する手段と
を備えたことを特徴とするエレベータ制御装置。
【請求項４】
請求項１ないし請求項３の何れか一項に記載するエレベータ制御装置において、
前記各階床の外部機器は、ホール呼びボタン、このホール呼びボタンに内装されるホール登録灯、ホールドア近傍に設置されるかご位置灯の何れか１種類もしくは２種類以上の組み合わせであることを特徴とするエレベータ制御装置。
【請求項５】
各外部機器から導出される既設の外部入出力信号線が接続されたエレベータ制御盤の少なくとも外部信号入出力装置を、入出力信号制御用コンピュータを搭載した外部信号入出力装置にリニューアルする制御リニューアル方法において、
リニューアルされた前記入出力信号制御用コンピュータに任意の第1のＩ／Ｏポートアドレスデータとともに所定の階床順序に従う各階床の前記外部機器アドレスデータが記憶され、
所定の階床順序に従って各階床の外部機器から前記既設の外部入出力信号線及びＩ／Ｏポートのあるポートを通って第２のＩ／Ｏポートアドレスデータを含む外部機器入力信号を取り込むと、前記記憶されている所定の階床順序のもとに認識される該当階床の外部機器のアドレスデータに対応する前記第１のＩ／Ｏポートアドレスデータと前記外部機器入力信号を取り込んだ前記Ｉ／ＯポートのＩ／Ｏポートアドレスデータとが一致するか否かを判断し、一致する場合にはアドレス変更無しとし、一致しない場合には前記記憶された階床の外部機器アドレスデータを優先し、当該階床の外部機器アドレスデータに前記取り込んだ第２のＩ／Ｏポートアドレスデータに書換えて対応付けし、かつ所定の階床順序に従って次階床以降の外部機器の外部機器入力信号についても同様の処理を繰り返す実行することを特徴とする制御リニューアル方法。
【請求項６】
請求項５に記載する制御リニューアル方法において、
前記各階床の外部機器として、ホール呼びボタンに内装されるホール登録灯やホールドア近傍に設置されるかご位置灯を登録する場合、前記ホール登録灯やかご位置灯の点灯有りを確認した後、所定の階床順序のもとに認識される該当階床のホール登録灯アドレスデータやかご位置灯アドレスデータに対応して前記Ｉ／Ｏポートから取り込んだ第２のＩ／Ｏポートアドレスデータに書換えて対応付けすることを特徴とする制御リニューアル方法。
【発明の詳細な説明】
【技術分野】
【０００１】
本発明は、エレベータ制御盤等の外部信号入出力装置をリニューアルするエレベータ制御装置及び制御リニューアル方法に関する。
【背景技術】
【０００２】
図９はリニューアル対象となるエレベータ制御盤の外部信号入出力装置を示す構成図である。同図において、５１，…は各階のホール呼びボタン、ホールランタンその他の制御盤以外の外部機器との間で入出力する外部機器入出力信号を伝送する外部入出力信号線、５２，…は各外部入出力信号線５１，…に対応して設けられ、フォトカプラ等で構成される外部信号入出力部である。５３はエレベータ制御盤（図示せず）内に設置される入出力信号制御マイコンである。各外部信号入出力部５２，…と入出力信号制御マイコン５３とはそれぞれ制御盤内入出力信号線５４，…で接続されている。なお、従来、入出力信号制御マイコン５３に代わって一般的なロジック回路、リレー回路等で構成されたものもある。
【０００３】
入出力信号制御マイコン５３内には、信号の受け渡しを行うI／Ｏポート５５と、予めＩ／Ｏポートアドレスと外部機器アドレスとの関係を規定するアドレスデータメモリ５６と、I／Ｏポート５５から取り込むポートＮＯを含む外部機器入力信号とアドレスデータメモリ５６に規定するアドレスから外部機器入力信号が何れの外部機器の外部機器入力信号であるかを認識処理するＣＰＵ５７とが設けられている。なお、５８、５９はバスラインである。
【０００４】
このような装置においては、外部機器からある外部入出力信号線５１を通ってくる外部機器入力信号が入力されると、対応する外部信号入出力部５２の発・受光素子にて電気的絶縁及び所定の電圧データに変換した後、対応する制御盤内入出力信号線５４を通して入出力信号制御マイコン５３の一部を構成するI／Ｏポート５５内の対応ポート（図示せず）に入力される。ＣＰＵ５９は、I／Ｏポート５５内の対応ポートのポートＮＯを含外部機器入力信号を取り込み、アドレスデータメモリ５６を参照することにより、Ｉ／Ｏポートアドレスからある特定の外部入出力信号線５１ないし外部機器を把握することができる。
【発明の開示】
【発明が解決しようとする課題】
【０００５】
従って、以上のように構成された外部信号入出力装置では、予めアドレスデータメモリ５６内にＩ／Ｏポートアドレスと外部入出力信号線ないし外部機器との関係，つまりアドレスマップが固定的に規定されている。その結果、エレベータ制御盤の一部または全部のリニューアル時、既設制御盤から多数の外部入出力信号線５１，…を外してリニューアルを行うが、そのリニューアル完了後はアドレスマップに従って外部入出力信号線５１，…と外部信号入出力部５２，…とを接続する必要がある。
【０００６】
しかし、リニューアル時、既設制御盤から外部入出力信号線５１，…を取り外すと、外部入出力信号線５１，…と外部信号入出力部５２，…との関係が全く判別できなくなる。
そこで、既設の外線である外部入出力信号線５１，…を既設制御盤から外す時、各外部入出力信号線５１，…に何れの信号または何れの外部機器に接続されているかを表すタグを取り付け、リニューアル完了後の外部入出力信号線５１，…の外部信号入出力部５２，…への接続を可能にしている。
【０００７】
その結果、リニューアル時、各外部入出力信号線５１，…に信号判別させるためのタグを作成し、個別に取り付け表示する作業をしなければならない問題がある。
【０００８】
また、新設の制御盤に既設の外部入出力信号線５１，…を接続する際に配線誤りを起こす可能性がある。配線誤りが発生すると、リニューアル完了後に適切に動作しないばかりか、配線誤り個所を探して修正する作業に多くの時間を費やす問題がある。
【０００９】
本発明は以上のような事情に鑑みてなされたもので、制御盤の一部または全部のリニューアル時に取外した既設の外線をタグ無しで任意にリニューアルした制御盤の一部または全部の構成に接続できるエレベータ制御装置及び制御リニューアル方法を提供することを目的とする。
【課題を解決するための手段】
【００１０】
（１）  上記課題を解決するために、本発明は、各外部機器から導出される既設の外部入出力信号線が接続されたエレベータ制御盤の少なくとも外部信号入出力装置を、入出力信号制御用コンピュータを搭載した外部信号入出力装置にリニューアルするエレベータ制御装置において、
前記各既設の外部入出力信号線を任意に接続したリニューアルされた入出力信号制御用コンピュータを搭載した外部信号入出力装置と、
任意の第1のＩ／Ｏポートアドレスデータとともに所定の階床順序に従う各階床の前記外部機器の外部機器アドレスデータを順次前記入出力信号制御用コンピュータに入力する外部アドレス設定端末とを有し、
前記入出力信号制御用コンピュータは、前記外部アドレス設定端末から入力された第1のＩ／Ｏポートアドレスデータ及び前記所定の階床順序に従う各階床の外部機器アドレスデータを記憶するアドレスデータ記憶手段と、少なくとも前記各既設の外部入出力信号線数に応じたポートを有し、前記所定の階床順序に従って階床の外部機器から前記既設の外部入出力信号線及びある前記Ｉ／Ｏポートを通ってくる外部機器入力信号を受け渡しするＩ／Ｏポートと、前記アドレスデータ記憶手段に記憶される所定の階床順序のもとに認識される該当階床の外部機器のアドレスデータに対応するＩ／Ｏポートアドレスデータと前記外部機器入力信号を取り込んだＩ／ＯポートのＩ／Ｏポートアドレスデータとに基づき、前記アドレスデータ記憶手段に記憶される該当階床の外部機器のアドレスデータに対し、前記第1のＩ／Ｏポートアドレスデータを前記取り込んだ第２のＩ／Ｏポートアドレスデータに書換えて対応付け処理する信号認識処理制御部とを設けた構成である。
【００１１】
なお、前記入出力信号制御用コンピュータの内部に、前記外部アドレス設定端末に代えて当該外部アドレス設定端末と同等の機能を有するデータ入力機能を持ったアドレス設定手段を設けた構成でもよい。
【００１２】
また、前記信号認識処理制御部としては、前記Ｉ／Ｏポートのあるポートから取り込む前記第２のＩ／Ｏポートアドレスデータを含む前記外部機器入力信号に基づき、前記アドレスデータ記憶手段に記憶される所定の階床順序のもとに認識される該当階床の外部機器のアドレスデータに対応する前記第１のＩ／Ｏポートアドレスデータと前記外部機器入力信号を取り込んだ前記Ｉ／ＯポートのＩ／Ｏポートアドレスデータとが一致するか否かを判断するアドレス比較判断手段と、このアドレス比較判断手段によって両アドレスが一致したと判断した場合にはアドレス変更無しとし、前記アドレス比較判断手段で一致しないと判断した場合には前記アドレスデータ記憶手段に格納される階床の外部機器アドレスデータを優先し、この階床の外部機器のアドレスデータに前記取り込んだ第２のＩ／Ｏポートアドレスデータに書換えて対応付けするアドレス変更手段と、前記所定の階床順序に従って次階床以降の外部機器の外部機器入力信号についても同様の処理を繰り返す処理する手段とを設けたものである。
【００１３】
（２）  また、本発明は、各外部機器から導出される既設の外部入出力信号線が接続されたエレベータ制御盤の少なくとも外部信号入出力装置を、入出力信号制御用コンピュータを搭載した外部信号入出力装置にリニューアルする制御リニューアル方法において、
リニューアルされた前記入出力信号制御用コンピュータに任意の第1のＩ／Ｏポートアドレスデータとともに所定の階床順序に従う各階床の前記外部機器アドレスデータが記憶され、
所定の階床順序に従って各階床の外部機器から前記既設の外部入出力信号線及びＩ／Ｏポートのあるポートを通って第２のＩ／Ｏポートアドレスデータを含む外部機器入力信号を取り込むと、前記記憶されている所定の階床順序のもとに認識される該当階床の外部機器のアドレスデータに対応する前記第１のＩ／Ｏポートアドレスデータと前記外部機器入力信号を取り込んだ前記Ｉ／ＯポートのＩ／Ｏポートアドレスデータとが一致するか否かを判断し、一致する場合にはアドレス変更無しとし、一致しない場合には前記記憶された階床の外部機器アドレスデータを優先し、当該階床の外部機器アドレスデータに前記取り込んだ第２のＩ／Ｏポートアドレスデータに書換えて対応付けし、かつ所定の階床順序に従って次階床以降の外部機器の外部機器入力信号についても同様の処理を繰り返す実行する制御リニューアル方法である。
【００１４】
また、前記（２）に記載する制御リニューアル方法において、
前記各階床の外部機器として、ホール呼びボタンに内装されるホール登録灯やホールドア近傍に設置されるかご位置灯を登録する場合、前記ホール登録灯やかご位置灯の点灯有りを確認した後、所定の階床順序のもとに認識される該当階床のホール登録灯アドレスデータやかご位置灯アドレスデータに対応して前記Ｉ／Ｏポートから取り込んだ第２のＩ／Ｏポートアドレスデータに書換えて対応付けするものである
【発明の効果】
【００１５】
本発明によれば、制御盤の一部または全部のリニューアル時に既設の外線を取外した後、リニューアルした制御盤の外部信号入出力装置に既設の外線を任意に接続するだけで、既設の外線である外部入出力信号線または外部機器と制御盤内のＩ／Ｏポートとの関係を容易に確立でき、既設の外線にタグを付けずにリニューアルすることができるエレベータ制御装置及び制御リニューアル方法を提供できる。
【発明を実施するための最良の形態】
【００１６】
以下、本発明の実施の形態について図面を参照して説明する。
【００１７】
図１は外部信号入出力装置を有するエレベータ制御盤を備えた本発明に係るエレベータ制御装置の一実施の形態を示す構成図である。
【００１８】
同図において、１，…は各階のホール呼びボタン、ホールランタン等の乗場取付機器や乗りかご内取付機器等の各種の外部機器に接続される外部入出力信号線、２，…は各外部入出力信号線１，…に対応して設けられ、フォトカプラ等で構成される外部信号入出力部である。３はエレベータ制御盤（図示せず）内に設置される入出力信号制御用コンピュータ（以下、入出力信号制御マイコンと呼ぶ）である。各外部信号入出力部２，…と入出力信号制御マイコン３とはそれぞれ制御盤内入出力信号線４，…で接続されている。
【００１９】
この入出力信号制御マイコン３内には、信号の受け渡しを行うI／Ｏポート５、アドレスデータ記憶手段としてのアドレスデータメモリ６及び所定の認識処理を実行するＣＰＵで構成された信号認識処理制御部７が設けられている。８、９はバスラインである。なお、I／Ｏポート５には各制御盤内入出力信号線４，…にそれぞれ対応してポート（図示せず）が設けられている。
【００２０】
また、エレベータ制御盤内のリニューアルされた外部信号入出力部２，…及び入出力信号制御マイコン３のうち、この入出力信号制御マイコン３には外部アドレス設定端末１０が接続されている。
【００２１】
外部アドレス設定端末１０は、リニューアル後に作業者が任意のＩ／Ｏポートアドレス（ポートＮＯ）とともに所定の階床順序，例えば最下階（または最上階）から最上階（または最下階）の各階床の外部機器（例えばホール呼びボタン等）に接続される外部入出力信号線１，…ないし各階床の外部機器の外部機器アドレスを順次入出力信号制御マイコン３に入力する機能を持っている。
【００２２】
この入出力信号制御マイコン３の信号認識処理制御部７は、例えばリニューアル後に既設の外部入出力信号線１，…がリニューアルされた外部信号入出力部２，…に任意に接続された後、外部アドレス設定端末１０からＩ／Ｏポートアドレス（ポートＮＯ）とともに所定の階床順序に従う各階床の外部機器の外部機器アドレス（各階の外部機器名）を受けると、所定の階床順序に従って図２に示すようにアドレスデータメモリ６に記憶する。
【００２３】
また、信号認識処理制御部７は、機能的には、図３に示すようにアドレス比較判断手段１１、アドレス変更手段１２及び次階床以降繰り返し処理手段１３を有する。  
このアドレス比較判断手段１１は、各既設の外部入出力信号線１，…が外部信号入出力部２，…に任意に接続された後、所定の階床順序に従って作業員の操作のもとに例えば最下階の外部機器，例えばホール呼びボタンからある既設の外部入出力信号線１を通ってホール呼び信号がＩ／Ｏポート５に入力された場合、次のような処理を実行する。すなわち、アドレス比較判断手段１１は、Ｉ／Ｏポート５のあるポートから取り込むポートＮＯを含む最下階のホール呼びボタンのホール呼び信号に基づき、アドレスデータメモリ６に記憶される最下階から認識されるホール呼びボタン名に対応するポートＮＯとホール呼びボタンからのホール呼び信号を取り込んだＩ／Ｏポート５のポートＮＯとが一致するか否かを判断する機能を持っている。
【００２４】
前記アドレス変更手段１２は、アドレス比較判断手段１１で両ポートＮＯが一致したと判断した場合にはアドレスデータメモリ６の最下階のＩ／ＯポートアドレスのポートＮＯに変更無しとし、一致しないと判断した場合にはアドレスデータメモリ６に記憶される最下階の外部機器名に対応してＩ／Ｏポート５から取り込んだポートＮＯに書換え変更する機能をもっている。
【００２５】
前記次階床以降繰り返し処理手段１３は、順次次階に移し、前記アドレス比較判断手段１１及びアドレス変更手段１２を繰り返し、全階床の外部機器について実行する機能をもっている。
【００２６】
従って、信号認識処理制御部７は、予め定められた階床順序に従って各階床の外部機器を操作したとき、外部入出力信号線１−外部信号入出力部２−Ｉ／Ｏポート５の対応ポートを介して階床の外部機器入力信号を受けると、アドレスデータメモリ６から例えば最下階の外部機器名と認識しているので、最初の外部機器入力信号が例えば最下階の外部機器名に対応するポートＮＯが等しいとき、変更無しとし、等しくないときにはアドレスデータメモリ６の最下階の外部機器名に対応して外部機器信号を取り込んだＩ／Ｏポート５のポートＮＯを対応させるので、外部機器と制御盤側のポートとの関係を正確に生成でき、リニューアル時に取り外す外部入出力信号線１，…にタグを付けずにリニューアル作業を進めることができる。
【００２７】
図４は本発明に係るエレベータ制御装置の他の実施形態を示す構成図である。  
上記実施の形態では、入出力信号制御マイコン３の外部に外部アドレス設定端末１０を設けたが、この実施の形態は、入出力信号制御マイコン３内部に内部アドレス設定手段１６に設け、外部アドレス設定端末１０と同等の機能を行う構成としてもよい。すなわち、内部アドレス設定手段１６は、図1に示す外部アドレス設定端末１０に相当する機能を組み込んだものであって、任意のＩ／Ｏポートアドレスとともに所定の階床順序に従って階床の外部機器アドレスを入力するための入力手段（キーボード）などが設けられている。
【００２８】
このように入出力信号制御マイコン３内部にアドレス設定手段１６を設けることにより、以後、オプションその他の理由で外部機器を追加し、或いは変更されたとき、それに対応してアドレス設定手段１６から所定の階床順序に従ってアドレスデータを信号認識処理制御部７に送出し、アドレスデータメモリ６にポートＮＯ−外部機器名等のアドレスデータを書換え変更することができる。
【００２９】
次に、外部入出力部２を含む入出力信号制御マイコン３のリニューアル後に各階床の外部機器であるホール呼びボタンを登録処理する本発明に係る制御装置の動作及び本発明に係る制御リニューアル方法について図５を参照して説明する。
【００３０】
先ず、リニューアル完了後、既設の外線である外部入出力信号線１，…をリニューアル化されたエレベータ制御盤の外部入出力部２，…に適宜に接続する。しかる後、外部アドレス設定端末１０またはマイコン３内部のアドレス設定手段１６からＩ／Ｏポート５の任意のポートＮＯと予め定めた階床順序に従って階床の外部機器であるホール呼びボタン名とを関係付けたアドレスデータを信号認識処理制御部７に順次入力する。
【００３１】
ここで、信号認識処理制御部７は、外部アドレス設定端末１０またはマイコン３内部のアドレス設定手段１６から入力される任意のポートＮＯと予め定めた階床順序に従って階床の外部機器であるホール呼びボタン名とからなるアドレスデータを順次アドレスデータメモリ６に記憶していく。図６（ａ）はアドレスデータメモリ６のアドレスデータ配列例である。
【００３２】
この状態において、入出力信号制御マイコン３は、アドレスデータメモリ６に記憶された階床順序の各階床のホール呼びボタン名に従い、ホール呼びボタン登録動作を開始する（Ｓ１）。作業員は、予め定めた階床順序に従い、最下階のホール呼びボタンを操作し、該当ホール呼びボタンからホール呼び信号を出力する。このホール呼び信号は該当ホール呼びボタンに接続される既設の外部入出力信号線1及び外部入出力部２を通ってＩ／Ｏポート５のあるポートに入力される。
【００３３】
ここで、信号認識処理制御部７はアドレス比較判断手段１１を実行する。このアドレス比較判断手段１１は、予め定めた階床順序に従って階床の外部機器であるホール呼びボタンからホール呼び信号が入力されたか否かを判断する（Ｓ２）。ホール呼び信号有りと判断した場合、アドレス比較判断手段１１は、最初のホール呼び信号がアドレスデータメモリ６から最下階のホール呼び信号と認識し、この認識した階床のホール呼びボタン名に対応するポートＮＯとＩ／Ｏポート５から取り込んだＩ／Ｏポート５のポートＮＯとが一致するか否かを判断する（Ｓ３）。すなわち、両アドレスが一致するか判断する。具体的には、アドレスデータメモリ６に記憶される最下階のホール呼びボタン名のポートＮＯ１と認識するので、この認識した階床のポートＮＯ１とＩ／Ｏポート５から取り込んだ例えばポートＮＯ２のアドレスとを比較した場合には両ポートＮＯが一致しない。Ｉ／Ｏポート５から取り込んだ例えばポートＮＯ１のアドレスを取り込んだ場合には一致する。
【００３４】
引き続き、信号認識処理制御部７はアドレス変更手段１２を実行する。このアドレス変更手段１２は、アドレス比較判断手段１１にて一致したと判断した場合にはアドレスデータメモリ６のアドレスデータ変更無しとし（Ｓ４）、また一致しないと判断した場合には認識した階床のアドレスである最下階ホール呼びボタン名が正しいので、この最下階ホール呼びボタン名に対し、既に設定されているポートＮＯ１のアドレスを図６（ｂ）に示すようにＩ／Ｏポート５から取り込んだポートＮＯ２のアドレスに書き換える（Ｓ５）。
【００３５】
しかる後、信号認識処理制御部７は次階床以降繰り返し処理手段１３を実行する。この次階床以降繰り返し処理手段１３は、所定の階床順序に従い、アドレスデータメモリ６に登録される次アドレス設定階を次階とし（Ｓ６）、全階床数を越えたか否かを判断する（Ｓ７）。ここで、全階床数を越えた場合にはホール呼びボタンのホール呼び登録処理を終了する（Ｓ８）。
【００３６】
一方、ステップＳ７において、全階床数を越えていない場合にはステップＳ９に移行し、ここでステップＳ２と同様に次階のホール呼び信号が入力されたとき、ステップＳ３に戻って同様の処理を繰り返し実行する。その結果、信号認識処理制御部７は、例えば次上階ホール呼びボタンを操作したとき、外部入出力信号とともに（Ｓ９）とともにＩ／Ｏポート５からポートＮＯとして例えばポート１を取り込んだとすると、アドレスデータメモリ６のポート２とＩ／Ｏポート５からのポート１の間で不一致となるので、アドレスデータメモリ６の次上階ホール呼びボタンに対応するポート２をポート１に書換え変更する（図４ｂ参照）。
【００３７】
従って、以上のような実施の形態によれば、リニューアル時、外部入出力信号線１，…をエレベータ制御盤から取外した後、エレベータ制御盤をリニューアルする。このリニューアル完了後に外部入出力信号線１，…を適宜に外部信号入出力部２，…に接続しても、アドレスデータメモリ６のポートＮＯが適正か否かを判断し、不適正なポートＮＯである場合にはＩ／Ｏポート５から取り込んだポートＮＯに書き換えるので、アドレスデータメモリ６にポートＮＯと外部機器名との関係，つまりメモリマップを正確に生成することができる。このことは、リニューアル時、従来のようにタグの作成及び外部入出力信号線１，…にタグ取付ける作業が不要となり、また外部入出力信号線１，…と外部信号入出力部２，…とのつなぎ込みの誤りという問題を解消できる。
【００３８】
次に、図７は本発明に係るエレベータ制御装置の他の実施形態を説明する図である。  
この実施の形態は、ポール呼びボタンに内蔵されるホール登録灯を登録する例である。
【００３９】
先ず、外部アドレス設定端末１０またはマイコン３内部の内部アドレス設定手段１６を用いて、予め定めた階床順序に基づいてポートアドレスであるポートＮＯと階床のホール登録灯名を信号認識処理制御部７に入力する。信号認識処理制御部７は入力されるポートＮＯと階床のホール登録灯名を順次アドレスデータメモリ６に記憶する。
【００４０】
この状態において、入出信号制御マイコン３はホール登録灯の登録動作を開始する（Ｓ１１）。ここで、作業員は予め定めた各階順次に従い、例えば最下階のホール呼びボタンを操作し、該当ホール呼びボタンからホール呼び信号を出力する。この最下階のホール呼び信号は、接続されている外部入出力信号線１、対応する外部入出力部２、Ｉ／Ｏポート５の対応ポートを通り、信号認識処理制御部７に送られる。
【００４１】
信号認識処理制御部７はアドレス比較判断手段１１を実行する。アドレス比較判断手段１１は、Ｉ／Ｏポート５の対応ポートＮＯ及びホール呼びボタンからのホール呼び信号を取り込むと（Ｓ１２）、アドレスデータメモリ６からホール呼びされた階床のホール登録灯に対してホール登録灯信号を送出する（Ｓ１３）。作業員は、最下階のホール呼びボタンを操作した後、ホール呼びボタンに対応するホール登録灯信号に基づいてホール登録灯が点灯するか否かを確認する。作業員は、ホール登録灯が点灯した場合には、何らかの信号，例えば所定の時間の間同じ階のホール呼びボタンを操作しない。また、ホール登録灯が点灯しない場合には例えば直ちに同じ階のホール呼びボタンを操作してホール呼び信号を出力し、信号認識処理制御部７が認識可能にする。
【００４２】
信号認識処理制御部７は、例えば再度のホール呼び信号の到達時間から該当するホール登録灯の点灯を確認したか否かを判断し（Ｓ１４）、ホール登録灯の点灯を確認しない場合には別の階床のホール登録灯に対してホール登録灯信号を送出し（Ｓ１５）、同様にホール登録灯の点灯確認を行う（Ｓ１６）。
【００４３】
しかる後、信号認識処理制御部７はアドレス変更手段１２を実行する。アドレス変更手段１２は、ステップＳ１４でホール登録灯の点灯を確認した場合、アドレスデータメモリ６の階床のホール登録灯名に対し、先にホール呼び信号とともに取り込んだＩ／Ｏポート５のポートＮＯをＩ／Ｏポートアドレスとして書換える（Ｓ１７）。また、ステップＳ１６でホール登録灯の点灯を確認した場合、階床順序に従い、アドレスデータメモリ６の最下階床のホール登録灯名に対し、ホール登録灯信号を受け取った時のＩ／Ｏポート５のポートＮＯをＩ／Ｏポートアドレスとして書換える（Ｓ１７）。
【００４４】
さらに、信号認識処理制御部７は次階床以降繰り返し処理手段１３を実行する。この次階床以降繰り返し処理手段１３は、所定の階床順序に従い、アドレスデータメモリ６に登録される次アドレス設定階を次階とし（Ｓ１８）、全階床数を越えたか否かを判断する（Ｓ１９）。ここで、全階床数を越えた場合にはホール呼びボタンのホール呼び登録処理を終了する（Ｓ２０）。
【００４５】
一方、ステップＳ１９において、全階床数を越えていない場合にはステップＳ２１に移行し、ここでステップＳ１２と同様に次階のホール呼び信号が入力されたとき、ステップＳ１３に戻って同様の処理を繰り返し実行する。以下、同様の処理を繰り返し実行する。
【００４６】
従って、以上のような実施の形態によれば、ホール呼びボタンを操作しつつ、当該ホール呼びボタンに対応するホール登録灯とポートＮＯとの関係をアドレスデータメモリ６に正確に登録でき、図５と同様の効果を奏することができる。
【００４７】
なお、外部アドレス設定端末１０または内部アドレス設定手段１６を設けた場合、予め定めた階床順序に基づくデータに従い、アドレスデータメモリ６に外部機器名である例えば各階床の一般的なホール登録灯を格納したが、アドレスデータメモリ６に例えば特定のホール登録灯に関係するデータを格納し、Ｉ／Ｏポート５のポートＮＯとの関係を生成してもよい。
【００４８】
次に、各階ホールドアの上部に配列されるかご位置灯の登録例について図８を参照して説明する。
【００４９】
先ず、外部アドレス設定端末１０または内部アドレス設定手段１６を用いて、予め定めた階床順序に従って、ポートＮＯと階床表示用のかご位置灯とを順次信号認識処理制御部７に入力する。信号認識処理制御部７は入力されるポートＮＯと階床表示用のかご位置灯とを順次アドレスデータメモリ６に記憶する。
【００５０】
この状態において、入出信号制御マイコン３はかご位置録灯の登録動作を開始する（Ｓ１１）。ここで、作業員は予め定めた各階順序に従い、自動もしくは作業員による手動により、乗りかごを最下階（もしくは最上階）に移動させる（Ｓ３２）。
【００５１】
信号認識処理制御部７はアドレス比較判断手段１１を実行する。アドレス比較判断手段１１は、乗りかごを最下階に移動させると、アドレスデータメモリ７から最下階のかご位置灯と認識するので、当該最下階のかご位置灯にかご位置灯信号を送出する（Ｓ３３）。作業員は、最下階のかご位置灯の点灯有無を確認する。ここで、作業員は、最下階のかご位置灯が点灯したことを確認すると、最下階のかご位置灯が接続される外部入出力信号線１を通してかご位置灯点灯確認信号を送出する。このかご位置灯点灯確認信号は、外部入出力信号線１、対応する外部信号入出力部２、Ｉ／Ｏポート５の対応するポートを通って信号認識処理制御部７に送られる。
【００５２】
また、作業員は、最下階のかご位置灯が点灯無しの時、かご位置とかご位置灯とが合っていないので、外部から何らかの信号を送出する。例えばアドレス設定端末１０または内部アドレス設定手段１６からかご位置とかご位置灯とが合っていない旨の信号を信号認識処理制御部７に入力する。
【００５３】
信号認識処理制御部７は、最下階のかご位置灯にかご位置灯信号を送出した後、かご位置灯の点灯確認を行う（Ｓ３４）。信号認識処理制御部７は、かご位置灯の点灯を確認しない場合には別のかご位置灯にかご位置灯信号を送出し（Ｓ３５）、同様にかご位置灯の点灯確認を行う（Ｓ３６）。
【００５４】
しかる後、信号認識処理制御部７はアドレス変更手段１２を実行する。アドレス変更手段１２は、ステップＳ３４でホール登録灯の点灯を確認した場合、アドレスデータメモリ６の階床のかご位置灯名に対し、かご位置灯点灯確認信号とともに取り込んだＩ／Ｏポート５のポートＮＯをＩ／Ｏポートアドレスとして書換える（Ｓ３７）。また、ステップＳ３６でかご位置灯の点灯を確認した場合、階床順序に従い、アドレスデータメモリ６の最下階床のかご位置灯名に対し、かご位置灯点灯確認信号を受け取った時のＩ／Ｏポート５のポートＮＯをＩ／Ｏポートアドレスとして書換える（Ｓ３７）。
【００５５】
さらに、信号認識処理制御部７は次階床以降繰り返し処理手段１３を実行する。この次階床以降繰り返し処理手段１３は、所定の階床順序に従い、アドレスデータメモリ６に登録される次アドレス設定階を次階とし（Ｓ３８）、全階床数を越えたか否かを判断する（Ｓ３９）。ここで、全階床数を越えた場合にはホール呼びボタンのホール呼び登録処理を終了する（Ｓ４０）。
【００５６】
一方、ステップＳ３９において、全階床数を越えていない場合にはステップＳ４１に移行し、ここでステップＳ３２と同様にかごを次階に移動させた後、ステップＳ３３に戻って同様の処理を繰り返し実行する。以下、同様の処理を繰り返し実行する。
【００５７】
従って、以上のような実施の形態によれば、階床順序に従ってかご位置灯にかご位置灯信号を送出し、そのときのかご位置灯点灯確認信号からかご位置灯とポートＮＯとの関係をアドレスデータメモリ６に正確に登録でき、図５と同様の効果を奏することができる。
【００５８】
よって、図３や図５と同様にリニューアル時、従来のようにタグの作成及び外部入出力信号線１，…にタグを取付ける作業が不要となり、また外部入出力信号線１，…と外部信号入出力部２，…とのつなぎ込みの誤りという問題を解消できる。
【００５９】
従って、エレベータ制御リニューアル時に既設外線をそのまま利用する場合でも、リニューアル工事工数の削減、工事作業の省力化、従来既設外線の誤配線時に発生していた配線接続修正作業が不要になり、後戻りする作業を削減することができる。
【００６０】
なお、本発明は、上記実施の形態に限定されるものでなく、その要旨を逸脱しない範囲で種々変形して実施できる。例えば上記実施の形態は、ホール呼びボタン、ホール登録灯及びかご位置灯に対するＩ／Ｏポート５のアドレスを個別に登録するように説明したが、これらホール呼びボタン、ホール登録灯及びかご位置灯の２種類以上を組み合わせ状態で、Ｉ／Ｏポート５のアドレスを生成することもできる。
【００６１】
また、各実施の形態は組み合わせて実施することが可能であり、その場合には組み合わせによる効果が得られる。
【図面の簡単な説明】
【００６２】
【図１】外部信号入出力装置を有するエレベータ制御盤を備えた本発明に係るエレベータ制御装置の一実施の形態を示す構成図。
【図２】図１に示すアドレスデータメモリのデータ配列図。
【図３】図１に示す信号認識処理制御部の機能ブロック図。
【図４】本発明に係るエレベータ制御装置の他の実施の形態を示す構成図。
【図５】ホール呼びボタンを登録するための制御装置の動作及び本発明に係る制御リニューアル方法を説明する図。
【図６】アドレスデータメモリへのホール呼びボタンを登録データ配列図。
【図７】ホール登録灯を登録するための制御装置の動作及び本発明に係る制御リニューアル方法を説明する図。
【図８】かご位置灯を登録するための制御装置の動作及び本発明に係る制御リニューアル方法を説明する図。
【図９】エレベータ制御盤内の外部信号入出力装置のリニューアルを説明するための構成図。
【符号の説明】
【００６３】
１…既設の外部入出力信号線、２…外部信号入出力部、３…入出力信号制御マイコン、５…Ｉ／Ｏポート、６…アドレスデータメモリ、７…信号認識処理制御部、１０…外部アドレス設定端末、１１…アドレス比較判断手段、１２…アドレス変更手段、１３…次階以降繰り返し処理手段、１６…内部アドレス設定手段。
【図１】
2006089212.tif 000003
【図２】
2006089212.tif 000004
【図３】
2006089212.tif 000005
【図４】
2006089212.tif 000006
【図５】
2006089212.tif 000007
【図６】
2006089212.tif 000008
【図７】
2006089212.tif 000009
【図８】
2006089212.tif 000010
【図９】
2006089212.tif 000011